(57)【要約】      （修正有）【課題】包装された収容物の周縁部がつぶれてしまうことがない包装用フィルムを提供する。【解決手段】透明な第１のフィルム２の両端側に、該第１のフィルム２の幅寸法の１／４に対応する幅寸法に収容物１０の高さ寸法に対応した寸法を加えた幅寸法を有すると共に所定の腰の強さを有する第２のフィルム３が接着され、第１のフィルム２の両端側同士を接着して第１のフィルム２を第２のフィルム３が積層された境界線８の近傍の折線１２で折り返し、収容物１０を収容して第１のフィルム２の両端開口部を接着した状態で第２のフィルム３のそれぞれの端部が収容物１０の高さに対応した側板３ａとして起立する構成としたことを特徴とする。【選択図】図４
0003150699.tif 000002
【実用新案登録請求の範囲】
【請求項１】
透明な第１のフィルムの両端側に、該第１のフィルムの幅寸法の１／４に対応する幅寸法に収容物の高さ寸法に対応した寸法を加えた幅寸法を有すると共に所定の腰の強さを有する第２のフィルムが接着され、
前記第１のフィルムの両端側同士を接着して該第１のフィルムを前記第２のフィルムが積層された境界線近傍で折り返し、収容物を収容して前記第１のフィルムの両端開口部を接着した状態で前記第２のフィルムのそれぞれの端部が前記収容物の高さに対応した側板として起立することを特徴とする包装用フィルム。
【請求項２】
前記第２のフィルムの前記起立する側板と、該側板に連続する底板との境界に折線が設けられたことを特徴とする請求項１に記載の包装用フィルム。
【請求項３】
前記側板の上辺または下辺の折り目がアーチ状に形成されることを特徴とする請求項１または請求項２に記載の包装用フィルム。
【考案の詳細な説明】
【技術分野】
【０００１】
本考案は、菓子、パン等の食品を食品メーカーで自動包装する場合に使用することが出来る包装用フィルムに関するものである。
【背景技術】
【０００２】
従来、菓子、パン、魚の練り製品等の食品を包装する包装袋は、所定の寸法に切断した透明フィルムの左右側縁部を接着すると共に、下端開口部を接着して袋状に形成し、かつこのような形成した袋の中に菓子、パン等の食品を包装し、上端開口部を封止していた。
【先行技術文献】
【特許文献】
【０００３】
【特許文献１】実用新案登録第３１２５３７４号公報
【考案の概要】
【考案が解決しようとする課題】
【０００４】
しかしながら、前述の包装袋は、上下端開口部を封止した状態で収容物の周縁部がつぶれてしまうことがあった。
【０００５】
本考案は前記課題を解決するものであり、その目的とするところは、包装された収容物の周縁部がつぶれてしまうことがない包装用フィルムを提供せんとするものである。
【課題を解決するための手段】
【０００６】
前記目的を達成するための本考案に係る包装用フィルムの第１の構成は、透明な第１のフィルムの両端側に、該第１のフィルムの幅寸法の１／４に対応する幅寸法に収容物の高さ寸法に対応した寸法を加えた幅寸法を有すると共に所定の腰の強さを有する第２のフィルムが接着され、前記第１のフィルムの両端側同士を接着して該第１のフィルムを前記第２のフィルムが積層された境界線近傍で折り返し、収容物を収容して前記第１のフィルムの両端開口部を接着した状態で前記第２のフィルムのそれぞれの端部が前記収容物の高さに対応した側板として起立することを特徴とする。
【０００７】
また、本考案の第２の構成は、前記第１の構成において、前記第２のフィルムの前記起立する側板と、該側板に連続する底板との境界に折線が設けられたことを特徴とする。
【０００８】
また、本考案の第３の構成は、前記第１、第２の構成において、前記側板の上辺または下辺の折り目がアーチ状（円弧状、中央部が直線状で両端部が円弧状、直線からなる台形状（上辺と下辺とで６角形状）など）に形成されることを特徴とする。
【考案の効果】
【０００９】
本考案の第１の構成によれば、第１のフィルムの両端側同士を接着して該第１のフィルムを第２のフィルムが積層された境界線近傍で折り返し、収容物を収容して該第１のフィルムの両端開口部を接着した状態で第２のフィルムのそれぞれの端部が収容物の高さに対応した側板として起立することで包装された収容物の周縁部がつぶれてしまうことがない。
【００１０】
また、所定の腰の強さを有する第２のフィルムにより商品トレイを兼ねることができるので、別途、商品トレイを同封する必要がなく、商品トレイの材料コストが低減でき、包装工程の簡略化が図れる。
【００１１】
また、本考案の第２の構成によれば、第２のフィルムの起立する側板と、該側板に連続する底板との境界に折線が設けられたことで、該折線に沿って折り目をつけて側板を容易に起立させることが出来る。
【００１２】
また、本考案の第３の構成によれば、側板の上辺または下辺の折り目がアーチ状（円弧状、中央部が直線状で両端部が円弧状、直線からなる台形状（上辺と下辺とで６角形状）など）に形成されることで外力に対する側板の強度が増し、収容物の高さに対応する中央部から、接着した第１のフィルムの両端部に至る滑らかな曲線または折曲線が描かれて美観を呈することが出来る。
【図面の簡単な説明】
【００１３】
【図１】（ａ）は本考案に係る包装用フィルムを第２フィルム側から見た平面図、（ｂ）は（ａ）のＡ−Ａ断面図である。
【図２】本考案に係る包装用フィルムを透明な第１フィルム側から見た平面図である。
【図３】（ａ）は第１のフィルムの両端側同士を接着して該第１のフィルムを第２のフィルムが積層された境界線近傍で折り返した状態で第２フィルム側から見た平面説明図、（ｂ）は第１のフィルムの両端側同士を接着して該第１のフィルムを第２のフィルムが積層された境界線近傍で折り返した状態で透明な第１フィルム側から見た平面説明図である。
【図４】第２のフィルムのそれぞれの端部が収容物の高さに対応した側板として起立する様子を示す図である。
【図５】本考案に係る包装用フィルムにより商品が包装された様子を示す斜視説明図である。
【考案を実施するための形態】
【００１４】
図により本考案に係る包装用フィルムの一実施形態を具体的に説明する。図１〜図５において、１は包装用フィルムであり、透明な第１のフィルム２の両端側に、該第１のフィルム２の幅寸法（図１の左右方向における幅寸法）の略１／４に対応する幅寸法に収容物10の高さ寸法（図４（ｃ）の上下方向における高さ寸法）に対応した寸法を加えた幅寸法を有すると共に該第１のフィルム２との接着面側（図１（ｂ）の下方側）に加飾印刷４が施され、所定の腰の強さを有する第２のフィルム３が透明な接着層５を介して接着される。
【００１５】
透明な第１のフィルム２は、ポリエチレン、ポリプロピレン等の透明合成樹脂フィルム、セロハン等が有効に使用出来る。また、第２のフィルム３は、レーヨン（登録商標）、洋紙、和紙、不織布或は不透明な合成樹脂フィルム等が使用可能である。第２のフィルム３は所定の腰の強さを有して構成することで商品トレイを兼ねることが出来る。
【００１６】
透明な接着層５は、ポリウレタン系接着剤を使用することが出来る。このポリウレタン系接着剤は、ＯＨ基を持った主剤とＮＣＯ基（イソシアネート基）を持った硬化剤を混合する２液反応タイプを使用することが出来る。また、ＮＣＯ基を持った１液タイプを使用することも出来る。ポリウレタン系接着剤は、接着性に優れ、ボイル、レトルト適性、耐熱性、耐寒性、耐薬品性、耐油性にも優れ、プラスチックフィルム、金属箔など適用範囲が広く、柔軟性があり、さらに常温硬化性等を有する。
【００１７】
本実施形態では２液反応タイプのポリウレタン系接着剤を使用しており、イソシアネートは活性水素と速やかに反応する。この反応は、Ｈ２Ｏと水酸基（−ＯＨ）の反応である。このように主剤と硬化剤が反応して、ウレタン結合を形成し硬化する。
【００１８】
第２のフィルム３の第１のフィルム２に接着される側と反対側（図１（ｂ）の上方側）面には、例えば白インキを印刷することにより透過防止層６が設けられ、該透過防止層６の表面（図１（ｂ）の上方側面）に、商品となる収容物10の名称、原材料名、内容量、保存方法、製造者、栄養成分表示等の商品情報７が印刷により記録される。
【００１９】
このような包装用フィルム１において、図３及び図４に示すように、第１のフィルム２の両端側同士の接着代９を接着して該第１のフィルム２を第２のフィルム３が積層された境界線８の近傍に設けられた折線12で折り返し、筒状となった第１のフィルム２の開口一側端部を接着して袋状とし、該袋内に収容物10を収容して該第１のフィルム２の開口他側端部を接着した状態で、図４（ｃ）に示すように、第２のフィルム３のそれぞれの端部が収容物10の高さに応じた側板３ａとして起立する。図４（ａ）〜（ｃ）は第２のフィルム３の側板３ａが徐々に起立する過程を示す図である。第２のフィルム３の起立する側板３ａと、該側板３ａに連続する底板３ｂとの境界に折線12が設けられる。折線12は印刷により形成されても良いし、ミシン目により形成されたものでも良い。図５に示すように、側板３ａの上辺3a1及び下辺3a2の折り目は第１のフィルム２の両端開口部を接着した際に側板３ａの両端部が潰れてアーチ状（円弧状、中央部が直線状で両端部が円弧状、直線からなる台形状（上辺3a1と下辺3a2とで６角形状）など）に形成される。
【００２０】
一方、図３（ｂ）及び図５に示すように、第２のフィルム３に施された加飾印刷４が透明な第１のフィルム２及び接着層５を透過して視認することが出来る。図４（ｃ）に示すように、包装用フィルム１の内部に、例えばパン等の収容物10が収容され、筒状の包装用フィルム１の両端開口部が熱溶着により溶着される。包装用フィルム１により包装された収容物10は透明な第１のフィルム２を介して全体を見通すことが出来、更に、収容物10の背面で第２のフィルム３に施された加飾印刷４が透明な第１のフィルム２及び接着層５を透過して視認することが出来る。尚、11は第１のフィルム２の外側表面にやや小さく印刷された商品名や値段等の商品情報である。
【００２１】
上記構成によれば、第１のフィルム２の両端側同士を接着して該第１のフィルム２を第２のフィルム３が積層された境界線８近傍の折線12で折り返し、収容物10を収容して該第１のフィルム２の両端開口部を接着した状態で第２のフィルム３のそれぞれの端部が収容物10の高さに対応した側板３ａとして起立することで包装された収容物10の周縁部がつぶれてしまうことがない。
【００２２】
また、所定の腰の強さを有する第２のフィルム３により商品トレイを兼ねることができるので、別途、商品トレイを同封する必要がなく、商品トレイの材料コストが低減でき、包装工程の簡略化が図れる。
【００２３】
また、第２のフィルム３の起立する側板３ａと、該側板３ａに連続する底板３ｂとの境界に折線12が設けられたことで、該折線12に沿って折り目をつけて側板３ａを容易に起立させることが出来る。
【００２４】
また、側板３ａの上辺3a1または下辺3a2の折り目がアーチ状（円弧状、中央部が直線状で両端部が円弧状、直線からなる台形状（上辺3a1と下辺3a2とで６角形状）など）に形成されることで外力に対する側板３ａの強度が増し、収容物10の高さに対応する中央部から、接着した第１のフィルム２の両端部に至る滑らかな曲線または折曲線が描かれて美観を呈することが出来る。
【産業上の利用可能性】
【００２５】
本考案の活用例として、菓子、パン等の食品を食品メーカーで自動包装する場合に使用することが出来る包装用フィルムに適用することが出来る。
【符号の説明】
【００２６】
１…包装用フィルム
２  …第１のフィルム
３    …第２のフィルム
３ａ  …側板
3a1   …上辺
3a2   …下辺
３ｂ  …底板
４    …加飾印刷
５    …接着層
６    …透過防止層
８    …境界線
９    …接着代
10    …収容物
11…商品情報
12    …折線
【図１】
0003150699.tif 000003
【図２】
0003150699.tif 000004
【図３】
0003150699.tif 000005
【図４】
0003150699.tif 000006
【図５】
0003150699.tif 000007